(57)【要約】【課題】  この発明の課題は、全体の部品点数を少なくして、製品コストおよび施工コストを軽減することである。【解決手段】  天井に設ける正方形のパネル本体Ｐに、一本の放熱パイプ２１を敷設する一方、この放熱パイプ２１の両端をパネル本体Ｐから導き出して一対の延長パイプ２２，２３を設け、この一対の延長パイプ２２，２３のうちの一方を上流側延長パイプ２２とし、他方を下流側延長パイプ２３とするとともに、これら延長パイプ２２，２３を、パネル本体Ｐの一辺の長さに等しいか、あるいは一辺の長さよりも長くしている。【選択図】  図１
2006170550.tif 000002
【特許請求の範囲】
【請求項１】
天井に設ける正方形のパネル本体に、一本の放熱パイプを敷設する一方、この放熱パイプの両端をパネル本体から導き出して一対の延長パイプを設け、この一対の延長パイプのうちの一方を上流側延長パイプとし、他方を下流側延長パイプとするとともに、これら延長パイプを、パネル本体の一辺の長さに等しいか、あるいは一辺の長さよりも長くした天井輻射パネル。
【請求項２】
上記下流側延長パイプを、隣接する他のパネル本体の上流側延長パイプに接続可能にした請求項１記載の天井輻射パネル。
【請求項３】
複数のパネル本体を備え、それらパネル本体の放熱パイプを、上流側延長パイプおよび下流側延長パイプを介して直列に接続するとともに、放熱パイプを直列に接続したパネル本体のうち、その列の最上流に位置するパネル本体の上流側延長パイプは流体を供給する側のメインパイプに連結し、最下流に位置するパネル本体の下流側延長パイプは流体を戻す側のメインパイプに連結した請求項１または２記載の天井輻射パネル。
【発明の詳細な説明】
【技術分野】
【０００１】
この発明は、建造物の天井に設ける天井輻射パネルに関する。
【背景技術】
【０００２】
この種の天井輻射パネルとして、例えば、図２に示すものが従来から知られている。この従来の天井輻射パネルは、そのパネル本体ａ１〜ａ３のそれぞれに、放熱パイプ１を蛇行させて敷設するとともに、これら放熱パイプ１の両端に上流側ジョイント２と下流側ジョイント３を設けている。そして、パネル本体ａ１の下流側ジョイント３は、隣接するパネル本体ａ２の上流側ジョイント２に接続しているが、その具体的な構成は次の通りである。
【０００３】
すなわち、上記下流側ジョイント３には接続パイプ４の一端を連結するとともに、この接続パイプ４の他端は、ジョイント５を介して別の接続パイプ６の一端に連結している。この別の接続パイプ６の他端は、パネル本体ａ１に隣接するパネル本体ａ２の上流側ジョイント２に連結している。
同じくパネル本体ａ２の下流側ジョイント３には接続パイプ７の一端を連結するとともに、この接続パイプ７の他端は、ジョイント８を介して別の接続パイプ９の一端に連結している。この別の接続パイプ９の他端は、パネル本体ａ２に隣接するパネル本体ａ３の上流側ジョイント２に連結している。
【０００４】
また、直列に接続した各パネル本体ａ１〜ａ３のうち、列の最上流に位置するパネル本体ａ１の上流側ジョイント２は、例えば冷温熱流体を供給する側のメインパイプ１０に、接続パイプ１１を介して連結している。さらに、最下流に位置するパネル本体ａ３の下流側ジョイント３は、流体を戻す側のメインパイプ１２に、接続パイプ１３を介して連結している。なお、図中符号１４は接続パイプ１１をメインパイプ１０に連結するためのジョイント、１５は接続パイプ１３をメインパイプ１２に連結するためのジョイントである。
【０００５】
したがって、供給側のメインパイプ１０から供給された冷温熱流体は、接続パイプ１１を経由して最上流に位置するパネル本体ａ１の放熱パイプ１に供給される。そして、この最上流に位置するパネル本体ａ１の放熱パイプ１を経由した冷温熱流体は、下流側ジョイント３に連結した接続パイプ４およびこの接続パイプ４に連結した接続パイプ６を経由して、下流側において隣接するパネル本体ａ２の放熱パイプ１に供給される。さらに、この放熱パイプ１を経由した冷温熱流体は、下流側ジョイント３に連結した接続パイプ７およびこの接続パイプ７に連結した接続パイプ９を経由して、最下流に位置するパネル本体ａ３の放熱パイプ１に供給される。そして、この最下流に位置するパネル本体ａ３の放熱パイプ１を経由した冷温熱流体は、接続パイプ１３を介して戻り側のメインパイプ１２に戻される。
【０００６】
上記のように放熱パイプ１に冷温熱流体が流れることによって、熱が放出されるとともに、その熱が輻射熱としてパネルが構成している天井の部屋を冷暖房することになる。
【特許文献１】特許第３５７０５８７号公報
【発明の開示】
【発明が解決しようとする課題】
【０００７】
上記のようにした従来の天井輻射パネルでは、各パネル本体ａ１〜ａ３の放熱パイプ１は、両端にジョイント２，３を設け、そのジョイント２，３がパネル本体ａ１〜ａ３内に納まるようにしている。したがって、各パネル本体ａ１〜ａ３の放熱パイプ１を連結するためには、接続パイプ４，６，７，９を用いなければならないし、メインパイプ１０，１２に接続するためにも接続パイプ１１，１３を用いなければならない。しかも、これら接続パイプ４，６，７，９，１１，１３を接続するためには、それら接続箇所にジョイント５，８，１４，１５を必要とする。
【０００８】
したがって、この従来の天井輻射パネルでは、多くの接続パイプやジョイントを必要とするというように、施工現場における部品点数が多くならざるを得ない。このように部品点数が多くなればなるほど、製品コストが上昇するとともに、施工工数も多くなり、その分、コストが大幅に上昇するという問題があった。また、接続パイプとジョイントの連結箇所が多ければ多い程、冷温熱流体の漏れの危険が高まり、システムの耐久性も不安の多いものになる。
この発明の目的は、部品点数が少なく、施工も簡単な天井輻射パネルを提供することである。
【課題を解決するための手段】
【０００９】
第１の発明は、天井に設ける正方形のパネル本体に、一本の放熱パイプを敷設する一方、この放熱パイプの両端をパネル本体から導き出して一対の延長パイプを設け、この一対の延長パイプのうちの一方を上流側延長パイプとし、他方を下流側延長パイプとするとともに、これら延長パイプを、パネル本体の一辺の長さに等しいか、あるいは一辺の長さよりも長くした点に特徴を有する。
なお、上記天井輻射パネルは、放熱パイプに供給する流体に応じて暖房用にも冷房用に使えるものである。
【００１０】
第２の発明は、上記下流側延長パイプを、隣接する他のパネル本体の上流側延長パイプに接続可能にした点に特徴を有する。
【００１１】
第３の発明は、複数のパネル本体を備え、それらパネル本体の放熱パイプを、上流側延長パイプおよび下流側延長パイプを介して直列に接続するとともに、放熱パイプを直列に接続したパネル本体のうち、その列の最上流に位置するパネル本体の上流側延長パイプは流体を供給する側のメインパイプに連結し、最下流に位置するパネル本体の下流側延長パイプは流体を戻す側のメインパイプに連結した点に特徴を有する。
【発明の効果】
【００１２】
第１の発明によれば、パネル本体に、その一辺と同じかあるいはその一辺よりも長い延長パイプを設けたので、この延長パイプを用いて、隣接するパネル本体の放熱パイプを連結することができる。したがって、従来のように接続パイプを必要とせず、しかも、ジョイントの数も減らすことができる。このように部品点数を少なくできるので、その分、製品コストや施工コストを軽減することができる。
【００１３】
第２の発明によれば、複数のパネル本体に敷設した放熱パイプを、いくつも連続させることができる。
また、第３の発明によれば、複数のパネル本体に敷設した放熱パイプを、いくつも連続させることができるとともに、それら連続させた放熱パイプをメインパイプに簡単に連結できる。
【発明を実施するための最良の形態】
【００１４】
図１に示した実施形態は、正方形にしたパネル本体Ｐ１〜Ｐ３のそれぞれに、放熱パイプ２１を蛇行させて敷設するとともに、この放熱パイプ２１を延長してパネル本体Ｐ１〜Ｐ３から導き出した延長パイプ２２，２３を設けている。このようにした一対の延長パイプは、その一方を上流側延長パイプ２２とし、他方を下流側延長パイプ２３としている。さらに、これら延長パイプ２２，２３は、その長さを、正方形のパネル本体Ｐ１〜Ｐ３の一辺の長さよりも長くしている。
【００１５】
上記のようにした各パネル本体Ｐ１〜Ｐ３の放熱パイプ２１は、上流側延長パイプ２２および下流側延長パイプ２３を介して直列に接続する。すなわち上流側に位置するパネル本体Ｐ１の下流側延長パイプ２３を、その下流側においてパネル本体Ｐ１に隣接するパネル本体Ｐ２の上流側延長パイプ２２に、ジョイント２４を介して接続している。また、このパネル本体Ｐ２の下流側延長パイプ２３は、その下流側においてパネル本体Ｐ２に隣接するパネル本体Ｐ３の上流側延長パイプ２２に、ジョイント２４を介して接続している。
【００１６】
そして、上記列の最上流に位置するパネル本体Ｐ１の上流側延長パイプ２２は、例えば、温熱流体を供給する側のメインパイプ２５に、ジョイント２６を介して接続している。また、上記列の最下流に位置するパネル本体Ｐ３の下流側延長パイプ２３は、流体を戻す側のメインパイプ２７に、ジョイント２８を介して接続している。
【００１７】
今、メインパイプ２５に、例えば、冷温熱流体を供給すると、その冷温熱流体は、列の最上流に位置するパネル本体Ｐ１の上流側延長パイプ２２を経由して当該パネル本体Ｐ１の放熱パイプ２１に導かれ、さらに、この放熱パイプ２１から下流側延長パイプ２３に流出する。このように冷温熱流体が放熱パイプ２１を流れる過程で、冷温熱流体の熱が放出されるとともに、その熱が輻射熱としてパネルが構成している天井の部屋を冷暖房することになる。そして、パネル本体Ｐ１の上流側延長パイプ２２に流入した冷温熱流体は、パネル本体Ｐ１に対して下流側に位置するパネル本体Ｐ２の上流側延長パイプ２２→放熱パイプ２１→下流側延長パイプ２３を経由して、パネル本体Ｐ２に対して下流側に位置するパネル本体Ｐ３の上流側延長パイプ２２に導かれる。
【００１８】
また、パネル本体Ｐ３の上流側延長パイプ２２に導かれた冷温熱流体は、放熱パイプ２１を経由して下流側延長パイプ２３に導かれるとともに、この下流側延長パイプ２３から戻り側のメインパイプ２７に戻される。
【００１９】
上記のように冷温熱流体が、供給側のメインパイプ２５から各パネル本体Ｐ１〜Ｐ３の放熱パイプ２１を経由して、戻り側のメインパイプ２７に戻される過程で、前記したように冷温熱流体の熱が放出されるとともに、その熱が輻射熱としてパネルが構成している天井の部屋を冷暖房することになる。
【００２０】
上記のようにした実施形態において、各パネル本体Ｐには、放熱パイプ２１と延長パイプ２２，２３とを一体化するとともに、延長パイプ２２，２３を各パネル本体Ｐの外に導き出しているので、複数のパネル本体を連結するための部品が少なくてすむ。言い換えると、従来の天井輻射パネルにおける接続パイプは、この実施形態では不要であり、しかも、この実施形態では、従来の天井輻射パネルに比べて上流側ジョイントと下流側ジョイントを省くことができ、ジョイントの数が少なくてすむ。
【００２１】
上記のように部品点数が少なくなるので、その分、製品コストや施工コストが軽減されることになる。また、上記延長パイプ２２，２３は、正方形のパネル本体Ｐの一辺よりも長くしているので、ここのパネル本体Ｐをどの方向に向けても、パネル本体Ｐに敷設した放熱パイプ２１を連結することができる。したがって、その分、施工性もよくなる。加えて、接続パイプとジョイントの連結箇所が少なくなり、冷温熱流体の漏れの危険が少なくなり、システムの耐久性も長くなる。
【００２２】
ただし、この発明としては、上記延長パイプ２２，２３は正方形のパネル本体Ｐの一辺の長さと等しくてもよい。もし、延長パイプ２２，２３を連結するための長さが足りないときには、図示せぬ接続パイプによってその長さ不足を補うようにすればよい。
【００２３】
なお、上記放熱パイプ２１の材質は特に限定されるものではない。例えば、放熱パイプとして、架橋ポリエチレンパイプ、ポリエチレンパイプ、ポリブデンパイプ等が考えられるが、それらのいずれであってもよいし、それ以外の材質のパイプを用いてもよい。
また、上記放熱パイプ２１をパネル本体Ｐに固定する手段も特に限定されるものではないことは、当然である。
【図面の簡単な説明】
【００２４】
【図１】この発明の実施形態を示す斜視図である。
【図２】従来の天井輻射パネルを示す斜視図である。
【符号の説明】
【００２５】
Ｐ１〜Ｐ３  パネル本体
２１        放熱パイプ
２２        上流側延長パイプ
２３        下流側延長パイプ
２５        供給側メインパイプ
２７        戻り側メインパイプ
【図１】
2006170550.tif 000003
【図２】
2006170550.tif 000004